Podtech/llm-jp-corpus-v4-ja_patent huggingface dataset:
(57)【要約】      （修正有）【課題】箸を持つ指の位置と動かし方を理解しやすくするために形状を工夫した練習箸を提供する。【解決手段】正しい箸の持ち方・動かし方を学習するために，上側の箸１の近位（指で持つ部分）断面を三角形として親指・人差し指・中指で持つ位置と動かし方を分かりやすくし、下側の箸４の近位（指で持つ部分）断面５を扁平楕円形として親指と人差し指の付け根で箸を挟む感覚を分かりやすくし、また下側の箸の薬指末端関節が当たる部分を窪ませることで薬指の位置を分かりやすくした。【選択図】図３
2016071312.tif 000002
【特許請求の範囲】
【請求項１】
上側の箸の指で持つ部分の断面を三角形とし，下側の箸の指で持つ部分の断面を扁平な楕円形とし，薬指の当たる部位を窪ませた箸．
【発明の詳細な説明】
【技術分野】
【０００１】  この発明は，箸を持つ指の位置と動かし方を理解しやすくするために形状を工夫した練習箸である．
【背景技術】
【０００２】  従来の箸は棒状であり，箸の持ち方と動かし方の学習に多くの努力が必要であるため、誤った方法で使用されていることが多い。。
【発明の開示】
【発明が解決しようとする課題】
【０００３】  従来の箸には次のような欠点があった．
（イ）上側の箸を持つ親指・人差し指・中指の位置および力を入れる方向が理解しにくい。
（ロ）上側の箸の回転、および長軸方向の動きが学習しにくい。
（ハ）「下の箸を挟む親指と人差し指の付け根の位置」および「薬指の位置と力を入れる方向」が理解しにくい。
箸使用の学習にはこの様な難しさがある。
本発明は、以上のような欠点をなくし、正しい箸使用の学習を容易にするためになされたものである．
【課題を解決するための手段】
【０００４】  上側側の箸の近位（指で持つ部分）断面を三角形とし（１）、下側の箸の近位（指で持つ部分）断面を扁平楕円形とし（２）、下側の箸の薬指が当たる部分を窪ませた（３）。
本発明は、以上の構成よりなる練習箸である。
【発明の効果】
【０００５】  上側の箸の近位（指で持つ部分）断面が三角形であるため、親指・人差し指・中指の正しい位置が視覚的・触覚的に理解しやすく、また上側の箸の上下・回旋・前後の動きを生じやすい。下側の箸の近位（指で持つ部分）断面が扁平楕円形であるため、親指と人差し指の付け根でしっかりと挟む感覚が理解しやすく、また薬指末端関節が当たる部分が窪んでいるため，薬指を当てる位置が理解しやすい。
練習箸で正しい持ち方と動かし方を経験することで、箸を正しく使う方法が学習できる。
【発明を実施するための最良の形態】
【０００６】  以下、本発明を実施するための最良の形態について説明する。
上側の箸（１）の近位（指で持つ部分）断面を三角形とする。
下側の箸（２）の近位（指で持つ部分）断面を扁平楕円形とする。
下側の箸（３）の薬指が当たる部分を窪ませる。
本発明は、以上のような構造である。
箸の使用を正しく学習したい大人や子供が食事で使用すればよい。
【図面の簡単な説明】
【０００７】
【図１】  本発明の「上側の箸」の正面図及び側面図である。
【図２】  本発明の「下側の箸」の正面図及び側面図である。
【図３】  本発明の斜視図である。
【符号の説明】
【０００８】  １    上側の箸
２    上側の箸の側面図
３    上側の箸の下面図
４    下側の箸
５    下側の箸の側面図
６    下側の箸の下面図
７    下側の箸の窪ませた部分
【図１】
2016071312.tif 000003
【図２】
2016071312.tif 000004
【図３】
2016071312.tif 000005
(57)【要約】      （修正有）【課題】傘などに貼り付けて使用する防犯機能を発揮する防犯デザインシールを提供する。【解決手段】防犯デザインシートには防犯機能を発揮する複数の防犯デザインシールを収容し、各々の防犯デザインシールには人の目や警官やパトカーなどの画像が描かれており、この防犯デザインシールを剥がして対象の持ち物に貼り付けて使用する。例えば目視者の方を見返しているように見える人の目のデザインでは、更に高い防犯効果が得るため、目視者の動きにより防犯デザインシールの画像の目が動いて見える機能を有する。【選択図】図２
2016071270.tif 000002
【特許請求の範囲】
【請求項１】
デザインシート内に単数ないしは複数のデザインシールを収容し、個々のデザインシールは剥がして使用可能であり、デザインシールの裏面には防犯対象物に貼り付けて使用可能な接着機能を備え、個々のデザインシールには防犯又は識別のためのデザインを施してあることを特徴とする防犯デザインシール。
【請求項２】
請求項１の防犯デザインシールは、デザインシールの表面が樹脂系もしくは金属系材質で構成され防水機能を有し、暗い使用環境の中では光を反射するか又は発光物質の使用か発電機能を内蔵して視認性を高め、個々のデザインシールに描かれたデザインは目視者がデザインシールを見る方向を変化させるとシールに描かれた画像が動いて見る機能を備えたことを特徴とする防犯デザインシール。
【発明の詳細な説明】
【技術分野】
【０００１】
本発明は、傘などの持ち物に貼り付けて使用する防犯用にデザインされたシールに関する。
【背景技術】
【０００２】
傘等の持ち物の盗難防止には名札を付けるか傘など物体に名前などを直接ペイントするか、又は傘を他の固定物に結びつける等の対策が行われている。
一方、一般的に印刷物等の画像を動くように認識させる方法としては、レンチキュラーレンズを利用する方法、ホログラム画像を使用する方法、ステレオ画像による視差を利用する方法などが広く知られている。
【先行技術文献】
【特許文献】
【０００３】
【特許文献１】特開２０００−２２２６５１
【特許文献２】特開２００５−１６５３７６
【発明の概要】
【発明が解決しようとする課題】
【０００４】
傘の色と形状は似通った物が多く、共同傘立ての中から自分の傘を探し出すのに苦労することがあり、また誤って他人に自分の傘を持って行かれることもある。傘などの持ち物を見分けやすく表示させることにより、誰からも所有者の判別を容易として誤って持って行くことを減少させる。
【課題を解決するための手段】
【０００５】
防犯の効果を発揮するデザインを施したデザインシールを、傘の柄など持ち物の目立つ部分に貼り付けて使用する。
防犯の効果を発揮するデザインの例として、こちらを見返す人の目を表現した物、警察車両や警察官、武道者等を表現した絵柄や文字等を使用する。
【発明の効果】
【０００６】
用途を傘での使用例を用いて説明する。傘の柄のよく見える部分に人の目をデザインしたシールを貼り付けて使用することで自分の傘を見分ける目印となる。
更にその目が目視者の動きに従い追従して見返してくるので、他人がこの傘を手にするには勇気を要し、間違って持って行かれにくく盗難をも防止する効果が得られる。これにより公共の傘立てにも安心して置けるようになる。
【図面の簡単な説明】
【０００７】
【図１】防犯デザインシートの例とその全体図
【図２】防犯デザインシールの使用例
【図３】人の目を表現したデザインシールの例
【図４】警察官と警察車両を表現したデザインシールの例
【図５】ストップさせる手を表現したデザインシールの例
【図６】武道者を表現したデザインシールの例
【発明を実施するための形態】
【０００８】
図１に示されたごとく、防犯デザインシートの内の任意の防犯デザインシールを、例えば図２のごとく傘での使用例では柄のよく見る部分に貼り付けて使用する。
デザインの一例では図３ａのごとく人の両眼がこちらを見ているように描かれており、人の目に見られると他人の傘を手に取るには心理的な抵抗が働き行動を思い留まる傾向がある。
防犯デザインシールは、夜間の使用時も防犯機能を発揮できるよう光の反射材、夜光塗料、発光物質の使用あるいはシールに発電機能を備え、それらにより発光させ視認性能を高める。
更に同シールは表面を樹脂系材料もしくは金属系材料を使用することにより防水機能も備えており、水に濡れても簡単に剥離しない接着性能を備えている。
【０００９】
前項の傘に使用した人の目のデザイン例では、目視者の動きに追従して目がこちらを注視し続けるように動いて見えると更に防犯効果が高まる。この目の動きを作り出す方法として、レンチキュラーレンズを使用する方法、３Ｄ印刷されたシールを使用する方法、ホログラム画像を使用する方法、ステレオ画像による視差を利用する方法等を、単独で使用するか又はそれらの方法を組み合わせて実現することでも良い。
【００１０】
前項では防犯目的のデザインに人の目を使用しているが、人の目以外のデザインを使用し防犯効果を上げる方法には、図４のごとく監視活動をしている警官の顔を表現したデザインや警ら中のパトカーを表現したデザイン、更に図５のごとくその行動を止めさせるためにストップと手を表現したデザイン等を使用するのも良い。
更に図６のごとく各種武道の格闘シーンを表現するデザインや、図１のごとく武道関連用語等を使用して防犯効果を上げる方法でも良い。
【００１１】
防犯デザインシールは１枚の防犯デザインシート内に単数ないしは複数収容されており、任意のデザインシールを剥がして取り出し前項の使用例である傘の柄等対象物に貼り付けて使用する。
傘以外にもバッグ、靴、自転車を始め旅行用品、運動用品、日用品、文房具など利用の用途は広い。
図１に示したシートは一例であり、防犯デザインシールの使用目的は防犯に留まらず、防犯以外の識別、伝達、案内などの用途に使用範囲を広げても良い。
その際はシールのデザインを各々の用途と使用目的により、それらに適したデザインと形状を用いて目的を実現することが可能である。
【図１】
2016071270.tif 000003
【図２】
2016071270.tif 000004
【図３】
2016071270.tif 000005
【図４】
2016071270.tif 000006
【図５】
2016071270.tif 000007
【図６】
2016071270.tif 000008
(57)【要約】      （修正有）【課題】外国人旅行客にスムーズな接客サービスを提供すると同時に免税店の負荷を軽減する、免税・カード決済同時処理システムを提供する。【解決手段】免税店の販売情報（商品情報）、パスポートから電子的に読み込んだ情報及びカードから読み込んだ決済情報から、「購入記録票」、「購入者誓約書」、「品目及び数量リスト」及び「カード利用控え」を出力する。購入者誓約情報を代行センターで電子的に保管し、随時照会可能とする。旅行者の当該言語による、音声ガイダンス機能を備える。【選択図】図１
2016126734.tif 000002
【特許請求の範囲】
【請求項１】
免税店の販売情報（商品情報）、パスポートから電子的に読み込んだ情報、カードから読み込んだ決済情報から、「購入記録票」、「購入者誓約書」、「品目及び数量リスト」、「カード利用控え」を出力
【請求項２】
購入者誓約情報を代行センターで電子的に保管し、随時照会可能とするセンター機能
【請求項３】
旅行者の当該言語による、音声ガイダンス機能
【発明の詳細な説明】
【技術分野】
【０００１】本発明は、免税処理とカード決済の同時処理に関するものである。
【背景技術】
【０００２】パスポート内に格納された電子的情報、決済用カード内に格納された決済情報、それらを読み取り処理をする装置、署名を電子的に読み取る装置、これらの装置からの情報を処理する装置及びその結果を出力する装置がある。
【発明の概要】
【発明が解決しようとする課題】
【０００３】免税店における外国人を相手にし、対面の口述筆記、パスポートからの転記などによる免税に必要な書類の作成にはかなりの労力を要する。【０００４】免税処理のあと、支払用のカードによる決済処理は二度手間である。【０００５】免税店は免税処理時に作成された「購入者誓約書」を７年間の保管義務を有する。【０００６】本発明は、以上のような問題点に鑑み、外国人旅行客にスムーズな接客サービスを提供すると同時に免税店の負荷を軽減することを目的とするものである。
【課題を解決する手段】
【０００７】免税店のレジ機能で処理される商品情報、個数、販売価格、パスポートから電子的に得られる外国人旅行客の情報から、「輸出免税物品購入記録票」及び「購入者誓約書」、購入商品の梱包に貼付する「品目及び数量のリスト」を作成するコンピュータシステム
【０００８】免税店のレジ機能で入力された販売情報より、オンラインによるカード決済処理を行うコンピューターシステム
【０００９】「購入者誓約書」の情報を７年間保管し、その照会が可能なセンターシスステム
【００１０】前項［０００８］［０００９］［００１０］を同時に実現するアプリケーションとその装置
レジ、パスポート情報の読み取り、カード情報処理、プリントの各機能はは別個の筐体であっても、そのうちのいくつかが統合されていてもかまわない。
【発明の効果】
【００１１】免税及び決済処理の正確化・迅速化
【００１２】外国人旅行客へのサービス向上
【図面の簡単な説明】
【００１３】
【図１】本発明の機能関連図である。
【発明を実施するための形態】
【００１４】以下、本発明の実施の形態について添付の図面に基づき説明をする。
図１における「「レジ機能（ａ）」に入力された商品名、数量、単価を「免税・カード処理機能（ｄ）」により免税処理を行う（▲１▼）。現金決済の場合は［００１８］へ。
【００１５】パスポートのＩＣチップ、ＯＣＲ文字等より、旅行者の氏名、生年月日、国籍、旅券などの種類、その番号を「パスポート情報読み取り機能」で電子的に読み取った後、「免税・決済処理機能（ｄ）」に引き渡し、パスポートに記載されていない必要情報（上陸年月日、在留資格など）を「免税・決済処理機能（ｄ）」より入力する（▲２▼）。
【００１６】カード決済の場合、旅行客よりカードを受け取り、「カード情報処理機能（ｃ）」によりカード情報を「免税・決済処理機能（ｄ）に引き渡す（▲３▼）。
【００１７】「免税・決済処理機能（ｄ）」は、免税処理後の販売価額にて「通信機能（ｅ）」経由で、「カード決済会社（ｇ）」に決済情報を送信する（▲４▼）
【００１８】現金決済及び「カード会社（ｇ）」の承認により、「免税・カード処理機能（ｄ）」のタッチパネルに旅行客のサインを電子的に保存し、「購入記録票」、「購入者誓約書」、「品目及び数量リスト」、「カード利用控え」を「プリント機能（ｆ）」により出力する（▲５▼）。
【００１９】同時に「購入者誓約書情報」を「情報管理代行センタ（ｈ）」の送信し、同センタは照会可能な形態で、７年間保管する（▲６▼）。
【００２０】カードによらない決済の場合は、［００１７〜００１９］の処理は省略し、「購入記録票」、「購入者誓約書」、「品目及び数量リスト」を「プリント機能（ｆ）」により出力する（▲５▼）。
【００２１】この処理プロセスを言葉の壁を越えてスムーズの行うため、パスポートより取得した国籍の言語により、音声ガイダンス及び文字による表示を「免税・決済処理機能（ｄ）」にて行う。
【符号の説明】
【００２２】ａ  販売情報入力機能  商品名・数量・単価を入力
ｂ  パスポート情報読み取り装置  電子的に（非接触ＩＣ）にて読み取り
ｃ  カード情報処理装置  暗証番号入力、磁気ストライプ読み取り、ＥＭＶ処理機能
ｄ  免税・決済処理機能  免税計算・カード決済処理、音声及び文字によるガイダンス機能
ｅ  通信機能  カードオーソリ、購入者誓約書情報の送信機能
ｆ  プリント機能  購入記録票、購入者誓約書、物品及び数量リスト、カード利用控えの出力
ｇ  情報管理センター  購入者誓約書情報をデジタル保管
ｈ  決済代行センター  カード会社へ決済情報を中継
ｉ  カード会社  カードオーソリ処理
ｃのカード情報処理機能には、カード磁気情報、ＩＣカード処理、暗証番号の入力機能
ｄの免税・決済処理機能には、タッチパネルによるサイン機能
【図１】
2016126734.tif 000003
(57)【要約】      （修正有）【課題】軟式野球に関して、エントリー入力画面から概算個人技量を審査する実践スポーツウェブサイトを提供する。【解決手段】経歴による概算審査に加えて、過去の最終ポジション履歴と打順履歴により守備と打撃各々の概算個人技量審査を行う。例えば従来の経歴による概算個人技量審査でレベル５の選手の最終経歴ポジションがファーストだった場合、守備レベルを５−２（ファースト補正値）＝３、内野守備レベル３という評価にする。最終経歴打順が６番の場合、５−１（打順６番補正値）＝４、打撃レベル４という評価にする。【選択図】なし【特許請求の範囲】
【請求項１】
実践スポーツウェブサイトの軟式野球に関して、エントリー入力画面から概算個人技量を審査する方法で、守備の技量、打撃の技量を審査する方法。具体的にはポジション、打順の最終履歴から各々の技量審査を行う方法。                                                                                      
【発明の詳細な説明】
【技術分野】
【０００１】
本発明は、個人参加で野球をしたい人のエントリー入力情報により、その競技者の守備及び打順の個人技量レベルを概算審査する手法についてである。                                                               
【背景技術】
【０００２】
従来の手法は、過去の経歴、例えば「中学軟式野球」「１，２回戦出場レベル」「レギュラー」と入力すると個人技量レベル「５」という概算審査の方法だった。しかし野球で監督がチームを編成するとき、守備の技量と打撃の技量は個別に考慮されるものであって、各々の技量の概算査定が望まれた。また別々に技量レベルを提示しないと、試合中に行われる監督の選手に対する実技の技量審査が難しかった。                  
【先行技術文献】
【特許文献】
【０００３】
本発明は特許２０１４−１６３９５４に追加するものである。野球に関する個人技量審査方法の改善案になる。プログラムで自動審査する方法。特許２０１５−００１２８６に示された方式で、試合中に監督は競技者の個人技量を査定することになるが、ここでは初めて参加する人をエントリー入力画面に入力された個人情報に基づき概算審査する方法になる。                                                               
【発明の概要】
【発明が解決しようとする課題】
【０００４】
従来の経歴による概算個人技量審査に加えて、過去のポジション履歴により守備の概算技量審査を、過去の打順履歴により打撃の概算技量審査を行うもの。
【課題を解決するための手段】
【０００５】
例えば従来の経歴による概算個人技量審査でレベル５の選手の最終経歴ポジションがファーストだった場合、５−２（ファースト補正値）＝３、内野守備レベル３という評価にする。最終経歴打順が６番の場合、５−１（打順６番補正値）＝４、打撃レベル４という評価にする。
【発明の効果】
【０００６】
監督がチーム編成を行う際の判断基準が増えることで容易に編成できるようになる。そのことによって、チームの質も向上する。また具体的な個人技量が分かれば、競技者の課題が明確になって意欲も増す。
【発明を実施するための形態】
【０００７】
表１は従来の経歴による技量審査で個人技量レベル７と審査された競技者について、競技経歴における最終ポジション履歴と打順履歴によって守備と打撃の概算技量審査一覧表になる。
【０００８】
【表１】
2016126679.tif 000002
【産業上の利用可能性】
【０００９】
実践スポーツウェブサイトに関して、この詳細な概算審査方法は野球に限ることなく、全ての団体スポーツに導入できる。
(57)【要約】      （修正有）【課題】個人の申し込みで希望日にサッカー、軟式野球をすることができるウェブサイトの監督の役割に関し、試合の質、ユーザーの満足度を向上させる。【解決手段】監督、競技者、双方向型のコミュニケーションツールを導入し、チーム編成を行う。クラウド技術の個人レベルへの普及をサイトに組み入れ、選手の個人データを監督が確認し、サッカーに関しては複数ある陣形から試合で用いる陣形を監督が選択し、選手を配置する。そして監督の意図を申込者に試合前に送信する。野球に関しては事前に方針やサインの打合せを行う。【選択図】なし【特許請求の範囲】
【請求項１】
サッカーに関して、監督申込者に競技者の個人情報を送信し、監督は複数ある陣形から試合で採用する予定の幾つもの陣形を選択し、競技者を配置する。配置されたデータは競技者に試合前に伝達される。この具体的な画面。
【請求項２】
野球に関して、監督申込者に競技者の個人情報を送信し、監督は打順と守備位置を選定する。配置されたデータは競技者に試合前に伝達される。この具体的な画面。
【請求項３】
競技者の希望ポジションとプレースタイルを伝える記述欄を申込画面に設ける。逆に監督の陣形配置の意図を競技者に伝える記述欄を設け、試合前に選手に伝える仕組み。双方向型の仕組みにすることで、情感の加味した試合にしたい。
【請求項４】
サッカー、野球に関して、監督が競技者の技術レベルを審査する具体的方法とその画面。野球に関しては、打撃力と守備力に分けて査定をする。
【発明の詳細な説明】
【技術分野】
【０００１】
本発明は、個人の申し込みで希望日、希望場所でサッカー、軟式野球をすることができるウェブサイトの基本プログラム。
【背景技術】
【０００２】
特許2014-163954は個人単位の申込みで希望日にサッカー、軟式野球等のスポーツが容易にできるウェブサイトについてである。過去の競技履歴、現在の生活環境をHTMLのFORM要素、INPUT要素からエントリー入力を行い、PHPの条件分岐プログラムにより申込者の概算競技レベルを査定する。サッカーに関して同じレベルのメンバーでチーム編成ができるようになり、競技者が所定人数揃えば、申込者の特徴に応じた最適なフォーメーションを選定し、過去のポジション履歴と既に算出された個人技量レベルに基づきif-else文、switch文と論理演算子を用いてプレイヤーの配置を自動で行う。そして所定のルールに基づき試合を行うものだ。監督のチーム編成の思考をプログラム化したものであった。軟式野球に関しては、同じレベルの競技者が所定人数揃えば、算出された個人技量レベル及び打順、守備の過去の履歴から自動で打順と守備位置を決定し、所定の競技ルールに基づき試合を行う。サッカーも軟式野球も即席で高質なチームを自動で作成できるようになり、個人単位の申込みで団体スポーツが容易に、そして間接経費を掛けずにできるようになった。
【先行技術文献】
【特許文献】
【０００３】
【特許文献１】特許2014-163954
【発明の概要】
【発明が解決しようとする課題】
【０００４】
本提案はIT技術の進歩、クラウドサービスが個人ユーザーに対して広く普及し始めたことが背景にある。従来の手法は、監督がコンピューターの作成したチームを指揮することになり、モチベーションの低下につながる。もちろん監督の手間を省くのが目的なので、それでないといけないという主張があった。申込者の個人情報を監督に提供し、チーム編成を監督に全権委任することで、より情感の加味されたチーム編成ができ、競技者、監督双方より高質なゲームを取り組むことができ、勝利した時の喜びを従来の手法より多く堪能できるものである。これが今日のクラウド技術の拡散により可能になった。
【課題を解決するための手段】
【０００５】
サッカーに関して、監督はその試合で実施する予定の陣形を選択し、競技者を配置することになる。監督がやむを得ず時間不足で配置ができないことも考慮し、コンピューターシュミレーションによる最適配置の手法も同時に残しておかないといけない。監督本人が最初の陣形を考えるか、コンピューターに一任するかは、申込者の監督の意思で選択できるようにする。監督は戦術の狙いを選手に伝えることができるように、メッセージを選手に届けられるようにする。一方競技者は自分の競技の特徴と希望を監督に伝えるような記述欄を設けてファジーな要素を持たせた。クラウド技術の拡散により、上記のことができるようになり、また監督が選手の個人技量を審査するということも、この技術により実現可能となった。監督は試合中における陣形の修正のみならず、競技者の個人技量を査定してもらうことで、競技者は個人目標を持つことができるようになる。                                                                
【発明の効果】
【０００６】
監督が競技者とCo-Workして陣形の設定と選手の配置を行う。このことにより競技者の満足度が増す。また監督の責任は増し、監督のモチベーションの充実は、そのままプレイヤーに影響を及ぼすので、この制度の方が望ましいと思われる。監督だけでなく、競技者の意向も反映される双方向型の仕組みは、情感が加味された人間的な仕組みになる。これはスポーツを好きになるということと深層で結びつくことになる。監督が選手を常に査定することで、選手が目標を持って取り組むことができる。そしてこのウェブサイト利用者はクラウドサービスの新時代を感じることになる。
【図面の簡単な説明】
【０００７】
【図１】サッカーのサイトに関して、監督申込者が陣形を選択する画面。
【図２】サッカーのサイトに関して、選択された陣形に競技者を配置する画面。
【図３】サッカーのサイトに関して、監督に送信される競技者の個人情報画面。
【図４】軟式野球のサイトに関して、監督が打順と守備の配置をする画面。
【図５】軟式野球のサイトに関して、監督に送信される競技者の個人情報画面。
【発明を実施するための形態】
【０００８】
監督の労力を抑えるために、最小の操作数で設定できる仕組みを設計した。
【産業上の利用可能性】
【０００９】
本件ではサッカーと野球に関して図示したが、団体スポーツ全てに適用できる仕組みになる。
【図１】
2016126635.tif 000002
【図２】
2016126635.tif 000003
【図３】
2016126635.tif 000004
【図４】
2016126635.tif 000005
【図５】
2016126635.tif 000006
(57)【要約】      （修正有）【課題】退職者の退職後の知的財産・学術文献・製品開発などに関する実績を追跡し、更新情報を自動的に取得するシステムを提供する。【解決手段】個人の氏名および／あるいは画像、取得技術、ノウハウ等の特定の単語・画像等を登録し、特許情報、学術文献情報およびインターネットの検索エンジン等に対して定期的かつ自動的に一括検索し、その結果を通知する。【選択図】図１
2016224893.tif 000002
【特許請求の範囲】
【請求項１】
追跡対象となる個人の氏名および／あるいは画像、取得技術、ノウハウ等の特定の単語・画像等を登録し、知的財産（発明、考案、植物の新品種、意匠、著作権）データベース、学術文献データベース、検索サーチに対して一括検索するシステム。
【請求項２】
上記検索を定期的に実施し、メール等により検索結果を自動的に通知する請求項１に記載のシステム。
【請求項３】
登録した情報を利用し、退職者がどのような検索単語で紐付けされているかを検索、通知する請求項１または２に記載のシステム。
【発明の詳細な説明】
【技術分野】
【０００１】本発明は退職者の退職後の知的財産・学術文献・製品開発などに関する実績を追跡し、更新情報を自動的に取得するシステムに関するものである。
【背景技術】
【０００２】知識集約型産業の分野では退職者による知識流出が問題となっている。退職する際には競合するような業務に携わることあるいは以前の企業で取得した機密情報およびノウハウといった知的財産等を利用することは退職時の取り決めで禁止されている。【０００３】しかしながら、退職者が退職前の企業で知りえた機密情報およびノウハウといった知的財産等を退職後に勤務する企業において利用しているか否かについは追跡するシステムは確立されていないという欠点があり、退職前の企業で知りえた機密情報およびノウハウといった知的財産等の不正利用の監視はなされていなかった。
【発明の概要】
【発明が解決しようとする課題】
【０００４】解決しようとする問題点は、複数のデータベースをそれぞれ検索することにより退職者が退職前に勤務していた企業で取得した機密情報およびノウハウといった知的財産等を退職後に利用しているかを調査することは可能であるが、一括検索ができず作業が煩雑であることである。【０００５】また上記の方法により、検索時点での退職者の機密情報およびノウハウといった知的財産等の利用について情報を取得することはできるが、恒久的に監視するには一定の期間ごとに手動で検索をする必要がある。
【課題を解決するための手段】
【０００６】本発明は、個人の氏名および／あるいは画像、取得技術、ノウハウ等の特定の単語・画像等を登録し、特許情報、学術文献情報およびインターネットの検索エンジン等に対して定期的かつ自動的に一括検索し、その結果を通知するシステムである。
【発明の効果】
【０００７】本発明のシステムは、一度の検索単語および／あるいは画像の登録により、複数のデータベースに対して定期的かつ自動的に検索した結果を取得できるため、現在実施できる手段より大幅に作業量が軽減され、且つ人為的ミスがなされる機会が減る。それにより、検索結果の精度が向上するという利点がある。
【図面の簡単な説明】
【０００８】
【図１】システムのフローチャートを示した図である
【図１】
2016224893.tif 000003
(57)【要約】【課題】本発明は、耳たぶに孔を開設したり、耳たぶを挟むことなく、装着することができる装身具を提供することを目的とする。【解決手段】耳たぶに装着する装身具であって、耳たぶに取り付けられる取付部を備え、取付部は、両面に粘着面を有するシールを介して耳たぶに取り付けられる装身具とし、また前記の装身具に用いられるシールであって、取付部に貼付されたシールは交換可能であり、交換用のシールはシートと剥離紙との間に配置された状態から剥離紙が剥がされ、剥離紙が剥がされた面に取付部が貼付され、その後、取付部とともにシートから剥がされ、シートから剥がされた面が耳たぶに取り付けられることを特徴とする装身具に用いられるシールとする。【選択図】  図１
2016116715.tif 000002
【特許請求の範囲】
【請求項１】
耳たぶに装着する装身具であって、耳たぶに取り付けられる取付部を備え、取付部は、両面に粘着面を有するシールを介して耳たぶに取り付けられる装身具。
【請求項２】
請求項１の装身具に用いられるシールであって、取付部に貼付されたシールは交換可能であり、交換用のシールはシートと剥離紙との間に配置された状態から剥離紙が剥がされ、剥離紙が剥がされた面に取付部が貼付され、その後、取付部とともにシートから剥がされ、シートから剥がされた面が耳たぶに取り付けられることを特徴とする装身具に用いられるシール。
【発明の詳細な説明】
【技術分野】
【０００１】
装身具に関し、特に耳たぶに装着する装身具に関する。
【背景技術】
【０００２】
従来、耳たぶに装着する装身具として、ピアスやイヤリングが知られている。例えば、このようなピアスとして、一端部に装飾部が設けられる細軸部を、耳たぶに開設された装着孔に貫通状に挿し込むことで装着されるピアスイヤリングが提案されている（特許文献１参考）。
【先行技術文献】
【特許文献】
【０００３】
【特許文献１】特開  ２０１３−０８５６９９  号公報
【発明の概要】
【発明が解決しようとする課題】
【０００４】
しかしながら、従来のピアスは、耳たぶに孔を開設しないと装着できない。ところが、使用者によっては、耳たぶに孔を開設できない場合がある。例えば、親や学校から禁止されている場合や、ピアスみたいなイヤリングを探している場合や、ピアスの孔を開けるのが怖い場合や、金属アレルギーの場合や、ピアスの孔が塞がってしまった場合や、仕事の事情でピアスを装着できない場合がある。また、イヤリングは、耳たぶを挟むため、長時間使用したり、耳たぶが厚いと、耳たぶが痛くなる場合がある。
【０００５】
本発明は、耳たぶに孔を開設したり、耳たぶを挟むことなく、装着することができる装身具を提供することを目的とする。
【課題を解決するための手段】
【０００６】
耳たぶに装着する装身具であって、耳たぶに取り付けられる取付部を備え、取付部は、両面に粘着面を有するシールを介して耳たぶに取り付けられる装身具。
【０００７】
請求項１の装身具に用いられるシールであって、取付部に貼付されたシールは交換可能であり、交換用のシールはシートと剥離紙との間に配置された状態から剥離紙が剥がされ、剥離紙が剥がされた面に取付部が貼付され、その後、取付部とともにシートから剥がされ、シートから剥がされた面が耳たぶに取り付けられるシール。
【発明の効果】
【０００８】
本発明は、耳たぶに孔を開設したり、耳たぶを挟むことなく、装着することができる装身具を提供できる。
【図面の簡単な説明】
【０００９】
【図１】本発明の実施形態に係る装身具の使用状態を示す図である。
【図２】本発明の実施形態に係る装身具の取付部を説明する図である。
【図３】本発明の実施形態に係る交換ユニットを説明する図である。
【発明を実施するための形態】
【００１０】
装身具１は耳たぶに装着され、耳たぶに取り付けられる取付部１０を備える。取付部１０は、両面に粘着面を有するシール２２を介して耳たぶに取り付けられる。
【００１１】
取付部１０に貼付されたシール２２は交換可能であり、交換用のシール２２はシート２１と剥離紙２３との間に配置された状態から剥離紙２３が剥がされ、剥離紙２３が剥がされた面に取付部１０が貼付され、その後、取付部１０とともにシート２１から剥がされ、シート２１から剥がされた面が耳たぶに取り付けられる。
【００１２】
次に、取付部１０に貼付されたシール２２を交換する手順について説明する。使用済みのシール２２を装身具１の取付部１０から剥がして破棄し、交換ユニット２０のシート２１と剥離紙２３の間に挟まれた状態のシール２２から剥離紙２３を剥がし、図３（ａ）から図３（ｂ）に示す状態とする。そして、取付部１０をシール２２に貼付し、図３（ｃ）に示す状態とする。その後、取付部１０とともに把持部２４が付いた状態のシール２２をシート２１から剥がし、耳たぶに取り付け、把持部２３とシール２２とを切込２５で切断する。
【符号の説明】
【００１３】
１    装身具  
１０  取付部  
１５  装飾品    
２０  交換ユニット  
２１  シート  
２２  シール
２３  剥離紙
２４  把持部
２５  切込
【図１】
2016116715.tif 000003
【図２】
2016116715.tif 000004
【図３】
2016116715.tif 000005
(57)【要約】【課題】従来のバルーンは五感の内の視覚、聴覚的満足がほとんどで、臭覚的満足は満たされていなかった。バルーンからアロマが香り、割った時にアロマが漂うことにより、視覚、聴覚とともに臭覚を満足させることができるようにする。【解決手段】大きなバルーン（1）の中に小さなバルーン（2）と香りの付いた紙片等（3）を混入し,大きなバルーン内にアロマを充満させ、通常でもアロマが香り、割った時にはアロマが一面に漂うのが特徴である。【選択図】図１
2016116697.tif 000002
【特許請求の範囲】
【請求項１】
大きなバルーン（1）の中に小さなバルーン（2）と香りの付いた紙片等（3）を混入する。
【発明の詳細な説明】
【技術分野】
【０００１】
この発明は、アロマ（香り）が漂うバルーン（風船）に関するものである。
【背景技術】
【０００２】
従来、香料の入ったバルーンはなかった。
【先行技術文献】
【特許文献】
【０００３】
【特許文献１】特になし
【発明の概要】
【発明が解決しようとする課題】
【０００４】
従来のバルーンには臭覚を満足させるものがなかった。
本発明はこのような欠点をなくすためになされたものである。
【課題を解決するための手段】
【０００５】
図1参照
大きなバルーン（1）の中に小さなバルーン（2）と香りの付いた紙片等（3）を混入する。
本発明は、以上の構成よりなり通常でもアロマが香り、割ると一面にアロマが漂うものである。
【発明の効果】
【０００６】
従来のバルーンにアロマを加えることで、五感の1つである臭覚を満たし、
更なる驚きと満足を提供できるようになった。
【図面の簡単な説明】
【０００７】
【図１】本発明の正面図である。
【発明を実施するための形態】
【０００８】
以下、本発明を実施するための形態について説明する（図1参照）。
大きなバルーン（1）の中に、小さなバルーン（2）とアロマを浸透させた紙片等を混入するものである。
通常でもアロマが香り、割ることで大きなバルーン（1）内に充満したアロマがあたり一面に漂ってくる。
【符号の説明】
【０００９】
1  大きなバルーン
2  小さなバルーン
3  アロマを浸透させた紙片等
【図１】
2016116697.tif 000003
(57)【要約】【課題】早食いを防止することにより、ダイエット効果を得たり、肥満を抑制することを目的とした、少なくとも箸の一部が可撓性を持つプラスチックで構成される箸を提供する。【解決手段】箸の一部（箸の全長を１００とした場合、箸の先端を基準に３０〜６０の位置にある）が、長さ３〜３０ｍｍ、曲げ弾性率５〜２００Mpaのプラスチックで構成する。本発明は、以上の構成よりなる一部が可撓性を持つ箸である。【選択図】図１
2016116581.tif 000002
【特許請求の範囲】
【請求項１】
箸の全長を１００とし、箸の先端を基準に３０〜６０の位置に、長さ３〜３０ｍｍ、曲げ弾性率５〜２００Mpaのプラスチックで構成される箸。
【請求項２】
一対の箸（１）の内、少なくとも一本が請求項１に記載の箸。
【発明の詳細な説明】
【技術分野】
【０００１】
この発明は、早食いを防止することにより、ダイエット効果を得たり、肥満を抑制することを目的とした、少なくとも箸の一部が可撓性を持つプラスチックで構成される箸に関するものである。
【背景技術】
【０００２】
従来、箸は手で握る部分（以下、把持部）や、食物を掴む部分（以下、掴持部）は、通常使用において変形しない素材で構成され、使用者にとって使いやすいように、把持部の形状を持ちやすいものにしたり、掴持部に滑り止めを付けるなど、工夫し作られている。
使いやすいが故に、人によっては食べる速度が速く、いわゆる早食いになりやすい。
【０００３】
特許文献１では、掴持部に低弾性素材を用いることで早食いを抑制する箸が提案されている。
【先行技術文献】
【特許文献】
【０００４】
【特許文献１】特開２０１４−２２６１８８号公報
【発明の概要】
【発明が解決しようとする課題】
【０００５】
これは、つぎのような課題があった。
厚生労働省の調査でも、早食いの人には肥満が多いことが報告されており、早食いを抑制することが肥満の抑制にもつながる。
特許文献１で提案されている箸も、早食いを抑制する効果は見込めるが、掴持部が低弾性素材で構成されているため、硬く大きな食物を適切な大きさに切る際に、一般的な箸では可能なことでも、その箸を使って切ることができない。
食事に時間を掛けさせ早食いを防止する目的の箸ではあるが、掴持部が低弾性素材からなる箸では、大きな食物または、重い食物は持ち上げることもできないため、切ることができなければ食事が成立しない。
早食いを抑制しつつ、通常の箸を使う際と同様に食物に対応できる箸が求められる。
本発明は、以上のような課題を解決するためになされたものである。
【課題を解決するための手段】
【０００６】
箸の一部（箸の全長を１００とした場合、箸の先端を基準に３０〜６０の位置にある）を、長さ３〜３０ｍｍ、曲げ弾性率５〜２００Mpaのプラスチックで構成する。
外圧によって弾性変形するその箸の一部を以下、可撓部（３）とする。
本発明は、以上の構成よりなる一部が可撓性を持つ箸である。
【発明の効果】
【０００７】
本発明を使用する際、使用者に特別な使い方を求めることはなく、従来通り箸としての使用をすれば良いのも本発明の利点である。
本発明の箸は、可撓部（３）に曲げ弾性率５〜２００Mpaのプラスチックを用いることで、食事の際に口に運ぶことができる食物の大きさ、重さに制限を設け、早食いを抑制する。加えて食物を切る、掴むという口に運ぶ前の一連の所作にもより時間を掛けさせ、早食いの抑制をより効果的なものにする。
【０００８】
大きさ、重さの制限を超える食物は、適切な大きさに切らなければならないが、本箸の可撓部（３）は、ある程度までの硬さであれば時間をかければ切ることが出来るため、早食い抑制に効果的である。
しかし、可撓部（３）の曲げ弾性率（５〜２００Mpa）の限界を超える硬さの食物には、そのままでは対応できない。
そこで、一時的に箸の可撓部（３）より下に短く把持する（図４参照）ことで、硬い食物も切ることができる。
本発明の効果により、硬い食物であっても本箸を使い、早食いが抑制できる為、ダイエット効果を得たり、肥満を抑制することが可能となる。
【図面の簡単な説明】
【０００９】
【図１】本発明の正面図である。
【図２】本発明における中央部の変形を示す正面図である。
【図３】本発明における実施の一形態を示す説明図である。
【図４】本発明における実施の一形態（硬い食物を切る場合）を示す説明図である。
【発明を実施するための形態】
【００１０】
以下、本発明を実施するための形態について説明する。
一対の箸（１）で、手で握る把持部（２）、 食物を掴む掴持部（４）は、一般的な箸と同様に通常使用において、変形しない素材（プラスチックや木材、金属等）で構成される。
箸の可撓部（３）（箸の全長を１００とした場合、箸の先端を基準に３０〜６０の位置にある）が、長さ３〜３０ｍｍ、曲げ弾性率５〜２００Mpaのプラスチックで構成される。
本発明は、以上のような構造である。
【００１１】
本発明を使用するときは、把持部（２）、可撓部（３）、掴持部（４）をそれぞれ異なる色の素材で構成したり、境界線を引くなどして、使用者が可撓部（３）を容易に視認できるようにすると使いやすい。
ただし外出時、お弁当などで使う際には、目立たないよう把持部（２）、可撓部（３）、掴持部（４）とも同色で構成し、箸全体が同色で構成される本箸を使用したほうが周囲の目は気にならないかもしれない。
【符号の説明】
【００１２】
1  箸本体
２  把持部
３  可撓部
４  掴持部
５  食物
【図１】
2016116581.tif 000003
【図２】
2016116581.tif 000004
【図３】
2016116581.tif 000005
【図４】
2016116581.tif 000006
(57)【要約】【課題】脊椎や骨盤や胸郭の骨格矯正や骨格調整を行う時、矯正後や調整後、骨格の状態が元に戻りにくいように頭蓋骨の骨格矯正や骨格調整を行う身体調整法を提供する。体の状態を改善する時、しっかり改善出来るように頭蓋骨の骨格矯正や骨格調整を行う身体調整法を提供する。【解決手段】脊椎や骨盤や胸郭の骨格矯正や骨格調整を行う時や体の状態を改善する時に頭蓋骨の骨格矯正や骨格調整を行う身体調整法を特徴とする。【特許請求の範囲】
【請求項１】
頭蓋骨の骨格矯正や骨格調整を行う身体調整法
【発明の詳細な説明】
【技術分野】
【０００１】この発明は、頭蓋骨の骨格矯正や骨格調整を行う身体調整法に関するものである。
【背景技術】
【０００２】従来、脊椎や骨盤や胸郭の骨格矯正や骨格調整を行う時や体の状態を改善する時、頭蓋骨の骨格矯正や骨格調整は行わなかった。
【発明の概要】
【発明が解決しようとする課題】
【０００３】これは、次のような欠点があった。
従来、脊椎や骨盤や胸郭の骨格矯正や骨格調整を行なっても、その後骨格が時間経過とともに元の状態に戻りやすかったし、体の状態を改善しても、しっかり改善する事が出来なかった。
本発明は、以上のような欠点をなくすためになされたものである。
【課題を解決するための手段】
【０００４】脊椎や骨盤や胸郭の骨格矯正や骨格調整を行う時や体の状態を改善する時は頭蓋骨の骨格矯正や骨格調整を行う。
本発明は、以上の方法により行われる頭蓋骨の骨格矯正や骨格調整を行う身体調整法である。
【発明の効果】
【０００５】脊椎や骨盤や胸郭の骨格矯正や骨格調整を行う時、これらの骨格の配置や状態をコントロールしている頭蓋骨の骨格矯正や骨格調整を行うので、これらの骨格が矯正されたり調整された後、時間が経過しても元の状態に戻りにくいし、体の状態を改善する時、頭蓋骨の骨格矯正や骨格調整を行う事により、体をコントロールしている脳の状態を改善する事が出来るので、体の状態をしっかり改善する事が出来る。
【発明を実施するための形態】
【０００６】以下、本発明を実施するための形態について説明する。
脊椎や骨盤や胸郭の骨格矯正や骨格調整を行う時や体の状態を改善する時は、頭蓋骨を構成する骨の矯正や調整を行う。
本発明は、以上のように行われる。
(57)【要約】      （修正有）【課題】電気的な動力装置なしで、トイレットペーパーを円滑、快適に引き出すことができるトイレットペーパー円滑操作ホルダーを提供する。【解決手段】トイレットペーパー円滑操作ホルダーは、略Ｌ字方をした巻き込み板１の本体の両側に回転軸２、および、バネ４を設けた。また、トイレットペーパー円滑操作ホルダーは、既存のトイレットペーパーホルダーに、設けることができる。【選択図】図１
2016116822.tif 000002
【特許請求の範囲】
【請求項１】
略Ｌ字方をした巻き込み板（１）の本体の両側に回転軸（２）、および、バネ（４）を設けたことを特徴とするトイレットペーパー円滑操作ホルダー。
【請求項２】
既存、従来のトイレットペーパーホルダーに、略Ｌ字方をした巻き込み板（１）の本体の両側に回転軸（２）、および、バネ（４）を設けることができることを特徴とすることができるトイレットペーパー円滑操作ホルダー。
【発明の詳細な説明】
【技術分野】
【０００１】  本発明は、トイレットペーパーを代表とする筒状に巻いた紙類の収納容器に関するもので、電気的な動力装置なしで、トイレットペーパーを円滑、快適に引き出すことができるトイレットペーバー円滑操作ホルダーに関するものである。
【背景技術】
【０００２】  従来のトイレットペーパーを代表とする筒状に巻いた紙類、以降、トイレットペーパーと称するは、トイレットペーパーホルダーの使用にあたって、必要量の紙の引き出し後の切り離し動作をより快適にすることへの考慮はされているが、引き出すときの快適性は配慮されていなかった。
トイレットペーパーを引き出すときは、引き出す紙が本体にまとわりついたり、トイレットペーパーを収納している装置の一部を開放したり、紙がちぎれたりの不具合を起こしていた。
【先行技術文献】
【特許文献】
【０００３】
【特許文献１】  特開  ２２００８−３３４０４１号公報
【特許文献２】  実開平  １０−３２３２９９号公報
【発明の概要】
【発明が解決しようとする課題】
【０００４】  トイレットペーパーを引き出すときに、トイレットペーパーにまとわりついていない引き出し用の誘導紙があれば、課題は解決できる。
誘導紙とは、トイレットペーパーを引き出しやすくするためのものをいう。
（イ）誘導紙を確保するための装置を取り付ける。
（ロ）装置は耐久性、経済性、汎用性、デザイン性に優れ、かつ、電気的な装置ではあってはならない。
（ハ）日常的に使うので、従来の習慣、デザインを変化させてはいけない。
【課題を解決するための手段】
【０００５】  請求項１は、略Ｌ字方をした巻き込み板（１）の本体の両側に回転軸（２）、および、バネ（４）を設けたことを特徴とするトイレットペーパー円滑操作ホルダー。
請求項２は、既存、従来のトイレットペーパーホルダーに、略Ｌ字方をした巻き込み板（１）の本体の両側に回転軸（２）、および、バネ（４）を設けることができることを特徴とするトイレットペーパー円滑操作ホルダー。
カバーを抑え込み、トイレットペーパーを必要量確保した後、切る操作時に誘導紙を確保、巻き込む。
そして、カバー解放後、巻き込んだ誘導紙が垂れさがるようにした。
その、動作原理の主となる部品を略Ｌ字方をした巻き込み板と言う
【発明の効果】
【０００６】  本発明は、トイレットペーパー使用時における一連の動作中でモーター等、電気的は装置なしで、引き出し用のための誘導紙が確保できた。
着目したのは、切るとき、つまり、トイレットペーパーのカバーに付属してある歯を押し当てる操作である。
そこで、歯とトイレットペーパーに隙間を作れば、押し当てるときにエネルギーを確保できると考えた。
（イ）巻き込み板をカバー内に組み込む、既存の物に後付け、大がかりな装置なしで目的を達成できた。
（ロ）構造、増設部品が少なく、目的を果たす。
（ハ）従来のカバーの形状を変えることなく、カバー内部に巻き込み板を組み込める。
従来の使用方法の流れをさほど変化させずに、より快適にトイレットペーパーを引き出すことができた。
発明の効果を出すための本発明品の構造、部品はいちじるしく単純で明解となった。
【図面の簡単な説明】
【０００７】
【図１】  本発明の他の実施例１の斜視図
【図２】  本発明の他の実施例１の構造を示した断面図
【図３】  本発明の他の実施例１の動作原理を示した説明図
【図４】  本発明の他の実施例１の動作原理を示した説明図
【図５】  本発明の他の実施例２の斜視図
【図６】  本発明の他の実施例２の構造を示した断面図
【図７】  本発明の他の実施例２の動作原理を示した説明図
【図８】  本発明の他の実施例２の動作原理を示した説明図
【発明を実施するための形態】
【０００８】  請求項１は、略Ｌ字方をした巻き込み板（１）の本体の両側に回転軸（２）、および、バネ（４）を設けたことを特徴とするトイレットペーパー円滑操作ホルダー。
請求項２は  既存、従来のトイレットペーパーホルダーに、略Ｌ字方をした巻き込み板（１）の本体の両側に回転軸（２）、および、バネ（４）を設けることができることを特徴とするトイレットペーパー円滑操作ホルダー。
図２〜図４、および、図６〜図８は、本発明の動作原理を示した説明図である。
図２、および、図６が通常時の断面図で、図３、図４、および、図７、図８へと操作する説明図である。
図７は、トイレットペーパーを切る操作、カバーを押し当て、カバーのカッターを押し当て、トイレットペーパーを切る。
そのとき、巻き込み板が反時計まわりに紙を動かす。
図８は、トイレットペーパーを切る作業が終わり、カバーから手を離したときの説明図である。
略Ｌ字方をした巻き込み略Ｌ字方をした巻き込み板が自重、あるいは、バネのもとの位置に戻る力でトイレットペーパーを時計回りに回転させ誘導紙となる部分を吐き出す。
カバーの裏に略Ｌ字方をした巻き込み板が装着され、動作原理にしたがい、目的を果たす形状となっている。
【符号の説明】
【０００９】    １  略Ｌ字方をした巻き込み板
２  略Ｌ字方をした巻き込み板回転軸
３  略Ｌ字方をした巻き込み板側バネ固定穴
４  バネ
５  カバー
６  バネ保持穴
５  カバー
６  カッタ―
７  略Ｌ字方をした巻き込み板回転軸受け
８  カバー回転軸
９  カバー側バネ固定穴
１０  カバー回転軸受け
１１  側板
１２  トイレットペーパー
ａ  カバーを押し込み、トイレットペーパーに歯をおしあてる動作の向き
ｂ  略Ｌ字方をした巻き込み板が跳ね上がる方向
ｃ  略Ｌ字方をした巻き込み板により、トイレットペーパーが回転する方向
ｄ  カバー押し込みをやめたときのカバーの動き
ｅ  略Ｌ字型をした巻き込み板の自重、あるいは、ばねの力により回転する方向
ｆ  略Ｌ字型をした巻き込み板によりトイレットペーパーが回転する方向
【図１】
2016116822.tif 000003
【図２】
2016116822.tif 000004
【図３】
2016116822.tif 000005
【図４】
2016116822.tif 000006
【図５】
2016116822.tif 000007
【図６】
2016116822.tif 000008
【図７】
2016116822.tif 000009
【図８】
2016116822.tif 000010